【事件の表示】
　特願２００５−１６９２３４「パチンコ遊技機」拒絶査定不服審判事件〔平成１８年１２月２１日出願公開、特開２００６−３４０８９３〕について、次のとおり審決する。
【結　論】
　本件審判の請求は、成り立たない。
【理　由】
　
第一．手続きの経緯　
　本願は、平成１７年６月９日の出願であって、平成２０年１２月２４日付けで拒絶理由が通知され、これに対し、平成２１年２月２７日付けで意見書が提出され、同年９月１日付けで拒絶査定がなされ、これに対し、同年１２月２日付けで審判請求がなされるとともに、同日付け手続補正書によって明細書の一部が補正され、その後、当審において平成２２年９月２８日付けで、前記平成２１年１２月２日付けの手続補正が却下されるとともに拒絶理由が通知され、これに対し、平成２２年１１月３０日付けで手続補正がなされたものであり、その請求項に係る発明は、上記平成２２年１１月３０日付けで補正された特許請求の範囲の請求項１に記載された次のとおりのものである。
　【請求項１】
　遊技盤上の遊技領域に配置され、図柄を変動表示する図柄変動表示装置と、該図柄変動表示装置の変動図柄が予め決められた図柄に揃って停止し特別遊技状態が発生したとき大入賞口を開放する可変入賞装置と、を備えたパチンコ遊技機において、
　該可変入賞装置の大入賞口として第１大入賞口が遊技領域の右側に配置されると共に、第２大入賞口が遊技領域の中央下部に配置され、
　前記遊技盤は、遊技領域の右側に向けて発射された遊技球の略全てが前記第１大入賞口に入賞するように構成され、
　特別遊技状態移行用の第１大当り図柄が該図柄変動表示装置で揃って停止したとき、該第１大入賞口を複数ラウンド開放させ、特別遊技状態移行用の第２大当り図柄が図柄変動表示装置で揃って停止したとき、該第２大入賞口を複数ラウンド開放させる可変入賞制御手段が設けられ、
　該第１大入賞口と該第２大入賞口の少なくとも内部構造が同一に構成され、
　前記第１大入賞口内に内蔵される電磁ソレノイド及び入賞球検出器が、該第２大入賞口内に内蔵される電磁ソレノイド及び入賞球検出器と、各々同一の機器で構成され、さらに、
　前記第１大入賞口及び第２大入賞口が、それぞれ、入賞数を素早くカウント可能とするように、全ての入賞球を集めて通し可能に、同等に検出する入賞口検出器を設けた入賞球通路を、左右に並設させていることを特徴とするパチンコ遊技機。（以下「本願発明」という。）　
　　
第二．当審の拒絶理由　
　当審は、上記平成２２年９月２８日付けの拒絶理由通知書で、本願の請求項１乃至３に係る発明は、下記の刊行物１及び２に記載された技術事項に基づいて、当業者が容易に発明をすることができたものであるから、特許法第２９条第２項の規定により特許を受けることができない旨を通知した。　
　　　　
第三．刊行物に記載された発明
　刊行物１：特開２００４−７３８３１号公報　
　刊行物２：パチンコ攻略マガジン５月２８日号　株式会社双葉社　
　　　　　　　平成１７年５月２８日　ｐ１０−１３
　　　　　
　当審の拒絶理由に引用され、本願出願前に頒布された、特開２００４−７３８３１号公報（以下、「引用刊行物１」という。）には、次の事項が記載されている。
　（１ａ）「【特許請求の範囲】
【請求項１】
遊技領域に始動入賞部品と可変入賞部品とを備える一方、制御装置が始動入賞部品への球の入賞に伴う当たり外れの抽選を実行し、実行された抽選結果を表示器に表示させ、実行された抽選結果の当たりの種類によって可変入賞部品における複数の球取入口を閉鎖する開閉体の一方を開閉するかまたは他方を開閉するように複数の開閉体の開閉を使い分けたことを特徴とするパチンコ機の遊技制御装置。
【請求項２】
遊技領域に始動入賞部品と可変入賞部品と中継始動入賞部品とを備える一方、制御装置が始動入賞部品への球の入賞に伴う当たり外れの抽選を実行し、実行された抽選結果を表示器に表示させ、実行された抽選結果の当たりの種類によって可変入賞部品における複数の球取入口を閉鎖する開閉体のうちの一方を開閉するかまたは中継始動入賞部品の当たり通路に球を誘導する回転体を回転して中継始動入賞部品の当たり通路への球の入賞により上記開閉体のうちの他方を開閉したことを特徴とするパチンコ機の遊技制御装置。」、
　（１ｂ）「【０００６】
そこで、本発明は抽選結果に基づき複数の球取入口に対応して設けられた開閉体の開閉を使い分けることによって、遊技領域の広域化と制御処理の簡素化とを図ることができるパチンコ機の遊技制御装置を提供するものである。」、
　（１ｃ）「【０００８】
【発明の実施の形態】
図１−図５は第１実施形態であって、図１はパチンコ機の遊技制御装置を模式的に示し、図２は抽選知識４９を示し、図３は図柄の表示形態を示し、図４は制御装置８の処理手順を示し、図５はパチンコ機を模式的に示す。」、
　（１ｄ）「【００１０】
発射された球が遊技領域６から始動入賞部品７に入賞すると、制御装置８は当たり外れの抽選を実行し、この抽選の結果を制御装置８が図柄表示器１５で表示する。抽選の結果として当たりが抽選された場合、制御装置８は当たりの種類で第１可変入賞部品１１、第２可変入賞部品１２、中継始動入賞部品１３を使い分け、第１可変入賞部品１１、第２可変入賞部品１２、中継始動入賞部品１３への入賞のそれぞれに対応し払出機構１４を駆動する。この駆動によって、払出機構１４が賞球としての球を遊技機枠１の裏側から皿３に払い出す。
【００１１】
抽選の結果として外れが抽選された場合、制御装置８は表示器としての図柄表示器１５で外れの抽選結果を表示した後、第１可変入賞部品１１、第２可変入賞部品１２、中継始動入賞部品１３を使用することなく、上記１回の始動入賞に伴う一連の遊技制御を終了する。
【００１２】
図１を参照し、始動入賞に伴う一連の遊技制御について、始動入賞部品７、第１可変入賞部品１１、第２可変入賞部品１２、中継始動入賞部品１３、ガイドレール１７が遊技盤２の意匠盤面に取り付けられ、図柄表示器１５の表示画面が遊技盤２の意匠盤面と裏面とに貫通された開口部を通して透過性パネル１６の前側から視認し得るように、図柄表示器１５が遊技盤２の裏側に設けられた場合を例として説明する。遊技盤２の左右方向中央部には図柄表示器１５、始動入賞部品７、第１可変入賞部品１１、アウト口１８が上から下に順に配置される。遊技盤２の右側には中継始動入賞部品１３、第２可変入賞部品１２が図柄表示器１５の右側と対応する位置で上から下に順に配置される。
【００１３】
始動入賞球検出器１９が始動入賞部品７に入賞した球を検出して始動入賞信号を制御装置８に出力する。第１可変入賞部品１１は球取入口２１を閉鎖する第１開閉体２２を備える。第１開閉体２２は第１可変入賞部品１１の裏側に取り付けられた電磁ソレノイドのような第１駆動源２３により前後方向に開閉される。球が開放された第１開閉体２２から球取入口２１を経由して第１可変入賞部品１１の内部に取り込まれると、この取り込まれた球が第１可変入賞部品１１の内部に設けられたＶゾーンと呼ばれる図外の第１特定入賞口またはカウントゾーンと呼ばれる図外の第１普通入賞口の何れかに入賞する。第１特定球検出器が第１特定入賞口に入賞した球を検出して第１特定入賞信号を制御装置８に出力する。第１普通球検出器が第１普通入賞口に入賞した球を検出して第１普通入賞信号を制御装置８に出力する。
【００１４】
中継始動入賞部品１３は前方に開放された収納室を備える。収納室の周囲を取り囲む筒壁の上部には球を取り込むための切欠部２４が形成される。収納室の後壁を形成する底壁には当たり通路２５および外れ通路２６が形成される。収納室には回転体２７を備える。回転体２７は底壁の裏面に取り付けられたステッピングモータのような振分駆動源２８により遊技盤２の意匠盤面と平行な方向に回転する。回転体２７の外周縁には凹部２９を有する。凹部２９は外周縁より内部に１個の球を収納する深さに窪む。そして、回転体２７が振分駆動源２８の正転駆動で一方向に回転するか、または、回転体２７が振分駆動源２８の逆転駆動で他方向に回転することによって、切欠部２４と凹部２９とが出会うのに伴い、球が遊技領域６から切欠部２４を経由して凹部２９に収納される。引き続き、上記回転体２７の一方向への回転で凹部２９が当たり通路２５と出会うのに伴い、凹部２９に収納されていた球が凹部２９から自然流下で当たり通路２５に排出される一方、上記回転体２７の他方向への回転で凹部２９が外れ通路２６と出会うのに伴い、凹部２９に収納されていた球が凹部２９から自然流下で外れ通路２６に排出される。中継球検出器３１が当たり通路２５に入賞した球を検出して中継入賞信号を制御装置８に出力する。
【００１５】
第２可変入賞部品１２は球取入口３２を閉鎖する第２開閉体３３を備える。第２開閉体３３は第２可変入賞部品１２の裏側に取り付けられた電磁ソレノイドのような第２駆動源３４により前後方向に開閉される。球が開放された第２開閉体３３から球取入口３２を経由して第２可変入賞部品１２の内部に取り込まれると、この取り込まれた球が第２可変入賞部品１２の内部に設けられたＶゾーンと呼ばれる図外の第２特定入賞口またはカウントゾーンと呼ばれる図外の第２普通入賞口の何れかに入賞する。第２特定球検出器が第２特定入賞口に入賞した球を検出して第２特定入賞信号を制御装置８に出力する。第２普通球検出器が第２普通入賞口に入賞した球を検出して第２普通入賞信号を制御装置８に出力する。」、
　（１ｅ）「【００２２】
回転体２７の一方向への回転に伴い球が当たり通路２５に入賞すると、中継球検出器３１が中継入賞信号を制御装置８に出力し、入賞検出手段４１が中継入賞信号の入力を検出して第２駆動手段４７に出力する。第２駆動手段４７は入賞検出手段４１からの中継入賞信号の入力により第２駆動源３４を駆動する。第２駆動源３４が第２開閉体３３を開閉する。回転体２７の他方向への回転に伴い球が外れ通路２６に排出されると、中継球検出器３１が中継入賞信号を出力しないことから、第２開閉体３３が閉じたままとなる。」、
　（１ｆ）「【００２５】
この図柄の確定と並行し、ステップ１０２において判定手段４４が確定した図柄が第１開閉体２２か否かを判定する。この判定の結果、確定した図柄が第１開閉体２２であることから、ステップ１０２がＹＥＳの場合、ステップ１０３において第１駆動手段４５が第１駆動源２３を駆動する。この駆動によって、第１駆動源２３が第１開閉体２２を所定回数または所定時間開閉する。上記判定の結果、確定した図柄が第１開閉体２２でないことから、ステップ１０２がＮＯの場合、ステップ１０４において振分駆動手段４６が振分駆動源２８を駆動する。この駆動によって、振分駆動源２８が回転体２７を回転する。この回転によって、遊技領域６から球が回転体２７の凹部２９に取り込まれ、当該球が回転体２７の回転に伴って当たり通路２５に取り込まれると、中継球検出器３１が中継入賞信号を制御装置８に出力する。
【００２６】
この中継入賞信号を入賞検出手段４１が検出して第２駆動手段４７に出力すると、ステップ１０５において第２駆動手段４７が第２駆動源３４を駆動する。この駆動によって、第２駆動源３４が第２開閉体３３を所定回数または所定時間開閉する。凹部２９に取り込まれた球が当たり通路２５に取り込まれた後に停止するように、上記回転体２７の回転範囲は振分駆動手段４６に設定されている。第１開閉体２２の開放中における第１可変入賞部品１１への入賞、当たり通路２５への入賞、第２開閉体３３の開放中における第２可変入賞部品１２への入賞に伴い制御装置８が払出機構１４を賞球払出動作すべく駆動する。この駆動によって、払出機構１４が賞球としての球を遊技機枠１の裏側から皿３に払い出す。
【００２７】
図２を参照し、抽選知識４９における乱数値と抽選結果との関係について説明する。例えば、乱数値の「０」に対する抽選結果は当たり・外れが「外れ」、確定する図柄が「１３１」、駆動する部品が「なし」に設定されている。乱数値の「１」に対する抽選結果は当たり・外れが「当たり」、確定する図柄が「０００」、駆動する部品が「回転体２７を正転」に設定されている。乱数値の「１３」に対する抽選結果は当たり・外れが「当たり」、確定する図柄が「１１１」、駆動する部品が「第１開閉体２２」に設定されている。乱数値の「４７」に対する抽選結果は当たり・外れが「外れ」、確定する図柄が「６６５」、駆動する部品が「回転体２７を逆転」に設定されている。
【００２８】
抽選知識４９では、確定する図柄が奇数の当たり図柄の場合に駆動する部品が「第１開閉体２２」に設定され、確定する図柄が「０」および偶数の当たり図柄の場合に駆動する部品が「回転体２７を正転」に設定されている。よって、図柄表示器１５で停止して確定した図柄が奇数の当たり図柄となると、第１開閉体２２が開閉する。図柄表示器１５で停止して確定した図柄が偶数の当たり図柄となると、回転体２７が一方向に回転し、その回転に伴い球が当たり通路２５に取り込まれると、第２開閉体３３が開閉する。」、
　（１ｇ）「【００３２】
図２に示すように抽選知識４９は奇数の当たり図柄で第１開閉体２２を開閉し、偶数の当たり図柄で回転体２７を正転し、外れ図柄で回転体２７を逆転するかまたは何も駆動しないように規定されている。・・・
【００３３】
・・・この外れ図柄による図柄の確定に対しては、図２の抽選知識４９に示すように、回転体２７を回転しない場合と逆転する場合とがある。・・・
【００３４】
第１実施形態では、抽選に伴い奇数の当たり図柄が確定すると、図１に示す遊技盤２の左右方向中央に位置する第１開閉体２２が開閉する。抽選に伴い偶数の当たり図柄が確定すると、図１に示す遊技盤２の右部に位置する回転体２７が正転する。よって、奇数の当たり図柄が図柄表示器１５に確定した場合と偶数の当たり図柄が図柄表示器１５に確定した場合とでは、遊技者が発射操作機構４の操作量を変える。具体的には、奇数の当たり図柄が確定すると、球が第１可変入賞部品１１に入るように、遊技者が発射操作機構４を操作する。偶数の当たり図柄が確定すると、球が中継始動入賞部品１３に入るように、遊技者が発射操作機構４を操作する。そして、中継始動入賞部品１３に取り込まれた球が当たり通路２５に取り込まれると、制御装置８が図１に示す中継始動入賞部品１３の真下に位置する第２開閉体３３を開閉する。これにより、球が第２可変入賞部品１２に入るように、遊技者が上記発射操作機構４への操作量を維持する。このように、図柄表示器１５に確定した図柄に応じて、遊技者が発射操作機構４への操作量を変える。このように、第１可変入賞部品１１と中継始動入賞部品１３とが互いに左右に離れて配置されたことによって、遊技者は第１可変入賞部品１１を狙う場合と中継始動入賞部品１３を狙う場合とにおいて発射操作機構４の操作を変えるという技術を使うことができる。
【００３５】
また、第１実施形態では抽選手段４２が始動入賞部品７への球の入賞に伴う抽選で第１開閉体２２かまたは回転体２７を正転かあるいは回転体２７を逆転かを抽選するので、制御装置８が第１開閉体２２の開閉に係る抽選と回転体２７の正転・逆転に係る抽選とを個別に並行して行う場合に比べ、制御装置８の制御処理を簡素にすることができる。・・・」、
　（１ｈ）「【００３６】
図６および図７は第２実施形態であって、図６はパチンコ機の遊技制御装置を模式的に示し、図７は抽選知識５４を模式的に示す。第２実施形態は、図柄表示器１５の図柄が奇数の当たり図柄で確定するのに伴い第１開閉体２２が開閉する点で第１実施形態と類似し、図柄表示器１５の図柄が偶数の当たり図柄で確定するのに伴い第２開閉体３３が開閉する点で第１実施形態と異なる。具体的には、図６に示すように、表示手段５１、判定手段５２、第２駆動手段５３、抽選知識５４が異なる。表示手段５１は入賞検出手段４１からの始動入賞信号の入力により図柄表示器１５に図柄変動の開始を指示した後にＲＡＭの抽選結果を反映すべく上記図柄変動の停止を指示するとともに図柄確定を第１駆動手段４５または第２駆動手段５３に指示する。
【００３７】
判定手段５２は抽選手段４２から入力された抽選結果から駆動する部品を判定し、その判定結果をＲＡＭに記憶する。判定手段５２は判定結果として駆動する部品を「第１開閉体２２」と決定した場合に第１駆動手段４５に駆動を指示し、判定結果として駆動する部品を「第２開閉体３３」と決定した場合に第２駆動手段５３に駆動を指示し、判定結果として駆動する部品を「なし」と決定した場合に何もしない。第２駆動手段５３は判定手段５２からの駆動指示と表示手段５１からの図柄確定指示との入力で第２駆動源３４を駆動する。図７に示すように、抽選知識５４では確定する図柄が奇数の当たり図柄の場合に駆動する部品が「第１開閉体２２」に設定され、確定する図柄が偶数の当たり図柄の場合に駆動する部品が「第２開閉体３３」に設定されている。
【００３８】
・・・ステップ６０１が始動入賞の発生により進行し、ステップ６０２がＹＥＳである場合、確定した図柄が奇数の当たり図柄で図柄表示器１５に停止した状態で表示された後、ステップ６０３において第１駆動手段４５が第１駆動源２３を駆動する。ステップ６０２がＮＯである場合、確定した図柄が偶数の当たり図柄で図柄表示器１５に停止した状態で表示された後、ステップ６０４において第２駆動手段５３が第２駆動源３４を駆動する。
【００３９】
第２実施形態では、遊技領域６から中継始動入賞部品１３を省略することができるので、遊技領域６を一層広くすることができるとともに、制御装置８から振分駆動手段４６およびステップ１０４に相当する処理を省略することができるので、制御処理を一層簡素にすることができる。・・・」。
　
　（１ｉ）また、第１実施形態の抽選知識を示す図表である【図２】、及び第２実施形態の抽選知識を示す図表である【図７】には、「３つの図柄が全て同一の図柄で揃えば当たり、３つの図柄のうち１つでも異なる図柄であれば外れ」であることが示されている。
　　
　したがって、引用刊行物１には、　
「　『１』　遊技盤２の左右方向中央部には図柄表示器１５、始動入賞部品７、第１可変入賞部品１１、アウト口１８が上から下に順に配置され、遊技盤２の右側には中継始動入賞部品１３、第２可変入賞部品１２が図柄表示器１５の右側と対応する位置で上から下に順に配置され、
　（１）発射された球が遊技領域６から始動入賞部品７に入賞すると、制御装置８は当たり外れの抽選を実行し、この抽選の結果を制御装置８が図柄表示器１５で表示し、
　　（１．１）抽選の結果として当たりが抽選された場合、制御装置８は当たりの種類で第１可変入賞部品１１、第２可変入賞部品１２、中継始動入賞部品１３を使い分け、第１可変入賞部品１１、第２可変入賞部品１２、中継始動入賞部品１３への入賞のそれぞれに対応し払出機構１４を駆動し、
　（２）第１可変入賞部品１１は球取入口２１を閉鎖する第１開閉体２２を備え、第１開閉体２２は第１可変入賞部品１１の裏側に取り付けられた電磁ソレノイドのような第１駆動源２３により前後方向に開閉され、球が開放された第１開閉体２２から球取入口２１を経由して第１可変入賞部品１１の内部に取り込まれると、この球が第１可変入賞部品１１の内部に設けられたＶゾーンと呼ばれる第１特定入賞口またはカウントゾーンと呼ばれる第１普通入賞口の何れかに入賞し、第１特定入賞口に入賞した球を第１特定球検出器が検出して第１特定入賞信号を制御装置８に出力し、第１普通入賞口に入賞した球を第１普通球検出器が検出して第１普通入賞信号を制御装置８に出力し、
　（３）第２可変入賞部品１２は球取入口３２を閉鎖する第２開閉体３３を備え、第２開閉体３３は第２可変入賞部品１２の裏側に取り付けられた電磁ソレノイドのような第２駆動源３４により前後方向に開閉され、球が開放された第２開閉体３３から球取入口３２を経由して第２可変入賞部品１２の内部に取り込まれると、この球が第２可変入賞部品１２の内部に設けられたＶゾーンと呼ばれる第２特定入賞口またはカウントゾーンと呼ばれる第２普通入賞口の何れかに入賞し、第２特定入賞口に入賞した球を第２特定球検出器が検出して第２特定入賞信号を制御装置８に出力し、第２普通入賞口に入賞した球を第２普通球検出器が検出して第２普通入賞信号を制御装置８に出力し、
　（４）中継始動入賞部品１３は前方に開放された収納室を備え、収納室には回転体２７を備え、回転体２７の外周縁には凹部２９を有し、回転体２７の一方向への回転で、凹部２９に収納されていた球が当たり通路２５に排出されると、第２駆動源３４が第２開閉体３３を開閉する一方、上記回転体２７の他方向への回転で凹部２９に収納されていた球が外れ通路２６に排出されると、第２開閉体３３が閉じたままとなる、
　パチンコ機において、
　（５）図柄表示器１５で停止して確定した３つの図柄が、
　　（５．１）同一の奇数の図柄で揃った当たり図柄となると、第１開閉体２２が所定回数または所定時間開閉し、球が第１可変入賞部品１１に入るように、遊技者が発射操作機構４を操作し、
　　（５．２）同一の偶数の図柄で揃った当たり図柄となると、回転体２７が一方向に回転し、球が中継始動入賞部品１３に入るように、遊技者が発射操作機構４を操作し、中継始動入賞部品１３に取り込まれた球が回転体２７の回転に伴い当たり通路２５に取り込まれると、制御装置８が中継始動入賞部品１３の真下に位置する第２開閉体３３を所定回数または所定時間開閉し、球が第２可変入賞部品１２に入るように、遊技者が上記発射操作機構４への操作量を維持する、
　（６）制御装置８の制御処理を簡素にすることができ、抽選結果に基づき複数の球取入口に対応して設けられた開閉体の開閉を使い分ける、
　第１実施形態としてのパチンコ機。」の発明（以下、「引用発明（１の１）」という。）、
　
　及び
　「　『２』　第１実施形態のパチンコ機と同様の構成を具備するパチンコ機であって、
　遊技領域６から中継始動入賞部品１３を省略することで、
　（１）図柄表示器１５で停止して確定した３つの図柄が、
　　（１．１）同一の奇数の図柄で揃った当たり図柄で確定するのに伴い第１開閉体２２が開閉する点で第１実施形態と類似し、
　　（１．２）同一の偶数の図柄で揃った当たり図柄で確定するのに伴い第２開閉体３３が開閉する点で第１実施形態と異なり、
　（２）制御装置８の制御処理を一層簡素にすることができる、
　第２実施形態としてのパチンコ機。」の発明（以下、「引用発明（１の２）」という。）が記載されていると認められる。　
　　　　　
　当審の拒絶理由に引用され、本願出願前に頒布された、パチンコ攻略マガジン５月２８日号（以下、「引用刊行物２」という。）における、
　（２ａ）第１１頁下欄、見出しの「大当り図柄（全８種類）」との記載を囲う枠内には、「ウルトラボーナス（１５Ｒ）　数字７が付された図柄」及び「レギュラーボーナス（７Ｒ）　数字１乃至６が付された図柄」が記載され、
　（２ｂ）第１２頁上欄、見出しの「まずは基本的なゲームの流れを把握しよう！」との記載を囲う枠内には、「大当り　「数字７が付された図柄」なら・・・ウルトラボーナス（１５Ｒ）　「数字１乃至６が付された図柄」なら・・・レギュラーボーナス（７Ｒ）」と記載され、
　（２ｃ）第１３頁上欄、見出しの「ウルトラボーナスとレギュラーボーナスでは出玉が倍以上異なる！！」との記載を囲う枠内には、「右下アタッカーの周辺はこぼしが極端に生じにくい釘構成のため、・・・」及び「数字７が付された図柄　ウルトラボーナス　盤面右下のアタッカーが１５Ｒ開放！（賞球１４個）　出玉約１７５０個」並びに「数字１乃至６が付された図柄　レギュラーボーナス　盤面下部のアタッカーが７Ｒ開放！（賞球１２個）　出玉約７００個」と、それぞれ記載されている。　
　　　　　　　　
第四．対比・検討　
　本願発明と引用発明（１の２）とを、引用発明（１の１）を参酌しつつ対比する。
　（４−１）引用発明（１の２）の「遊技盤２」は本願発明の「遊技盤」に相当し、以下同様に「遊技領域６」は「遊技領域」に、「図柄」は「図柄」に、「図柄表示器１５」は「図柄変動表示装置」に、「当たりが抽選された場合」は「特別遊技状態が発生したとき」に、「第１可変入賞部品１１及び第２可変入賞部品１２」は「球が開放された第１開閉体２２から球取入口２１を経由して第１可変入賞部品１１の内部に取り込まれ」、「球が開放された第２開閉体３３から球取入口３２を経由して第２可変入賞部品１２の内部に取り込まれる」ものであるから、「大入賞口を開放する可変入賞装置」に、「パチンコ機」は「パチンコ遊技機」に、「第２可変入賞部品１２」は「第１大入賞口」に、「第１可変入賞部品１１」は「第２大入賞口」に、「電磁ソレノイド」は「電磁ソレノイド」に、「第１特定球検出器」、「第１普通球検出器」、「第２特定球検出器」及び「第２普通球検出器」は「入賞球検出器」に、それぞれ相当する。
　（４−２）引用発明（１の２）においては、「遊技盤２の右側には第２可変入賞部品１２が図柄表示器１５の右側と対応する位置で配置され」、「第２可変入賞部品１２は球取入口３２を閉鎖する第２開閉体３３を備え」、「球が開放された第２開閉体３３から球取入口３２を経由して第２可変入賞部品１２の内部に取り込まれる」ものであるから、引用発明（１の２）は本願発明の「可変入賞装置の大入賞口として第１大入賞口が遊技領域の右側に配置され」に相当する事項を備えている。
　（４−３）引用発明（１の２）においては、「遊技盤２の左右方向中央部には図柄表示器１５、始動入賞部品７、第１可変入賞部品１１、アウト口１８が上から下に順に配置され」、「第１可変入賞部品１１は球取入口２１を閉鎖する第１開閉体２２を備え」、「球が開放された第１開閉体２２から球取入口２１を経由して第１可変入賞部品１１の内部に取り込まれる」ものであるから、引用発明（１の２）は本願発明の「可変入賞装置の大入賞口として第２大入賞口が遊技領域の中央下部に配置され」に相当する事項を備えている。
　（４−４）引用発明（１の２）の「図柄表示器１５で停止して確定した３つの図柄が同一の偶数の図柄で揃った当たり図柄で確定するのに伴い第２開閉体３３が開閉する」事項について検討すると、「第２開閉体３３」は第２可変入賞部品１２に備えられ、所定回数または所定時間開閉するものであるから、引用発明（１の２）は本願発明の「特別遊技状態移行用の第１大当り図柄が（該）図柄変動表示装置で揃って停止したとき、（該）第１大入賞口を複数ラウンド開放させ、」との技術事項と比較して「特別遊技状態移行用の第１大当り図柄が（該）図柄変動表示装置で揃って停止したとき、（該）第１大入賞口を開放させ、」において一致している。
　（４−５）引用発明（１の２）の「図柄表示器１５で停止して確定した３つの図柄が、同一の奇数の図柄で揃った当たり図柄で確定するのに伴い第１開閉体２２が開閉する」事項について検討すると、「第１開閉体２２」は第１可変入賞部品１１に備えられ、所定回数または所定時間開閉するものであるから、引用発明（１の２）は本願発明の「特別遊技状態移行用の第２大当り図柄が図柄変動表示装置で揃って停止したとき、（該）第２大入賞口を複数ラウンド開放させる」との技術事項と比較して「特別遊技状態移行用の第２大当り図柄が図柄変動表示装置で揃って停止したとき、（該）第２大入賞口を開放させる」において一致している。
　（４−６）引用発明（１の２）の「制御装置８」は、「発射された球が遊技領域６から始動入賞部品７に入賞すると、当たり外れの抽選を実行し、この抽選の結果を図柄表示器１５で表示し」、「抽選の結果として当たりが抽選された場合、当たりの種類で第１可変入賞部品１１、第２可変入賞部品１２を使い分け」るもので、「球が開放された第１開閉体２２から球取入口２１を経由して第１可変入賞部品１１の内部に取り込まれ」、「球が開放された第２開閉体３３から球取入口３２を経由して第２可変入賞部品１２の内部に取り込まれる」ものであるから、引用発明（１の２）は本願発明の「図柄変動表示装置で揃って停止したとき、第２大入賞口を開放させる可変入賞制御手段」及び「図柄変動表示装置で揃って停止したとき、第１大入賞口を開放させる可変入賞制御手段」に相当する事項を備えている。
　（４−７）引用発明（１の２）においては、「第２可変入賞部品１２は球取入口３２を閉鎖する第２開閉体３３を備え、第２開閉体３３は第２可変入賞部品１２の裏側に取り付けられた電磁ソレノイドのような第２駆動源３４により前後方向に開閉され」、「球が第２可変入賞部品１２の内部に設けられたＶゾーンと呼ばれる第２特定入賞口またはカウントゾーンと呼ばれる第２普通入賞口の何れかに入賞し、第２特定入賞口に入賞した球を第２特定球検出器が検出して第２特定入賞信号を制御装置８に出力し、第２普通入賞口に入賞した球を第２普通球検出器が検出して第２普通入賞信号を制御装置８に出力」するものであるから、引用発明（１の２）が本願発明の「第１大入賞口内に内蔵される電磁ソレノイド及び入賞球検出器」に相当する事項を備えていることは明らかである。
　（４−８）引用発明（１の２）においては、「第１可変入賞部品１１は球取入口２１を閉鎖する第１開閉体２２を備え、第１開閉体２２は第１可変入賞部品１１の裏側に取り付けられた電磁ソレノイドのような第１駆動源２３により前後方向に開閉され」、「球が第１可変入賞部品１１の内部に設けられたＶゾーンと呼ばれる第１特定入賞口またはカウントゾーンと呼ばれる第１普通入賞口の何れかに入賞し、第１特定入賞口に入賞した球を第１特定球検出器が検出して第１特定入賞信号を制御装置８に出力し、第１普通入賞口に入賞した球を第１普通球検出器が検出して第１普通入賞信号を制御装置８に出力」するものであるから、引用発明（１の２）が本願発明の「第２大入賞口内に内蔵される電磁ソレノイド及び入賞球検出器」に相当する事項を備えていることは明らかである。
　　　
　よって、両者は、　
「　遊技盤上の遊技領域に配置され、図柄を変動表示する図柄変動表示装置と、該図柄変動表示装置の変動図柄が予め決められた図柄に揃って停止し特別遊技状態が発生したとき大入賞口を開放する可変入賞装置と、を備えたパチンコ遊技機において、
　該可変入賞装置の大入賞口として第１大入賞口が遊技領域の右側に配置されると共に、第２大入賞口が遊技領域の中央下部に配置され、
　特別遊技状態移行用の第１大当り図柄が該図柄変動表示装置で揃って停止したとき、該第１大入賞口を開放させ、特別遊技状態移行用の第２大当り図柄が図柄変動表示装置で揃って停止したとき、該第２大入賞口を開放させる可変入賞制御手段が設けられ、
　前記第１大入賞口内に電磁ソレノイド及び入賞球検出器が内蔵され、該第２大入賞口内に電磁ソレノイド及び入賞球検出器が内蔵されるパチンコ遊技機。」である点で一致し、次の点で相違する。
　
　相違点１　
　遊技盤は、本願発明では、遊技領域の右側に向けて発射された遊技球の略全てが第１大入賞口に入賞するように構成されるのに対し、引用発明（１の２）では、そのように構成されるのかどうか明らかでない点。
　相違点２　　
　可変入賞制御手段により第１大入賞口及び第２大入賞口が、本願発明では、複数ラウンド開放するのに対し、引用発明（１の２）では、所定回数または所定時間開閉する点。
　相違点３　
　第１大入賞口と第２大入賞口とが、本願発明では、少なくとも内部構造が同一に構成されるのに対し、引用発明（１の２）では、同一に構成されるのかどうか記載されていない点。　
　相違点４
　第１大入賞口内に内蔵される電磁ソレノイド及び入賞球検出器と第２大入賞口内に内蔵される電磁ソレノイド及び入賞球検出器とが、本願発明では各々同一の機器で構成されるのに対し、引用発明（１の２）では、各々同一の機器で構成されるのかどうか記載されていない点。　
　相違点５
　第１大入賞口及び第２大入賞口が、本願発明では、それぞれ、入賞数を素早くカウント可能とするように、全ての入賞球を集めて通し可能に、同等に検出する入賞口検出器を設けた入賞球通路を、左右に並設させているのに対し、引用発明（１の２）では、そのように構成されるのかどうか記載されていない点。
　　　
　上記相違点について検討する。　
　相違点１について　
　引用刊行物２における「右下アタッカーの周辺はこぼしが極端に生じにくい釘構成のため、・・・」との記載によれば、引用刊行物２には「遊技領域の右側に向けて発射された遊技球の略全てが第１大入賞口に入賞するように構成された、遊技盤」の技術事項が実質的に記載されているといえる。
　そして、「引用発明（１の２）」及び当該「引用刊行物２に記載された技術」は「第１大入賞口が遊技領域の右側に配置されると共に、第２大入賞口が遊技領域の中央下部に配置され、第１大当り図柄で停止したときに（引用刊行物２における「数字７が付された図柄」に相当）、第１大入賞口を開放させ、第２大当り図柄で停止したときに（引用刊行物２における「数字１乃至６が付された図柄」に相当）、第２大入賞口を開放させる、パチンコ遊技機」において共通しているから、これらの技術を組み合わせて、当該相違点１に係る本願発明を特定する事項とすることは、当業者が容易になし得ることである。
　相違点２について　
　引用発明（１の２）は「球が開放された第１開閉体２２から球取入口２１を経由して第１可変入賞部品１１の内部に取り込まれると、この球が第１可変入賞部品１１の内部に設けられたＶゾーンと呼ばれる第１特定入賞口またはカウントゾーンと呼ばれる第１普通入賞口の何れかに入賞し、第１特定入賞口に入賞した球を第１特定球検出器が検出して第１特定入賞信号を制御装置８に出力」するもの、及び「球が開放された第２開閉体３３から球取入口３２を経由して第２可変入賞部品１２の内部に取り込まれると、この球が第２可変入賞部品１２の内部に設けられたＶゾーンと呼ばれる第２特定入賞口またはカウントゾーンと呼ばれる第２普通入賞口の何れかに入賞し、第２特定入賞口に入賞した球を第２特定球検出器が検出して第２特定入賞信号を制御装置８に出力」するものである。ここで、当該分野における技術常識である「開放ラウンド中に、Ｖゾーンと呼ばれる特定入賞口への入賞があったときには、次の開放ラウンドが開始される大入賞口」との技術事項を併せて考えれば、引用発明（１の２）には「第１大入賞口及び第２大入賞口が複数ラウンド開放する」事項が示唆されているといえ、そうすると、当該相違点２は実質的な相違点ではない。
　
　なお、実施例（本願明細書【００３５】及び【００４０】参照）に則し、特定入賞口に関わらず、必ず複数ラウンド開放するものについて、念のため検討すると、
　（ａ）特開平１１−２８５５６３号公報には、次の事項が記載されている。
　（ａ−１）「（５７）【要約】
【課題】  パンクを発生させない弾球遊技機、すなわち特別遊技の興趣を損なわない弾球遊技機を提供すること。
【解決手段】・・・大入賞口１３４は、Ｖゾーンの通過等の条件とは無関係に、規定回数まで開放されるから、いわゆるパンクが発生することはない。」、
　（ａ−２）「【００４５】このように、大入賞口１３４は、例えばＶゾーンの通過の有無等の特別の条件無しで、規定回数まで開放されるから、いわゆるパンクが発生することはない。・・・」。
　（ｂ）パチンコ必勝ガイド　２００５　１・１６号　株式会社白夜書房　平成１７年１月１６日発行　における、
　（ｂ−１）ｐ６０　には、次の事項が記載されている。
　（ｂ−１−１）見出し「・・・ゼロヨン基準機・・・」の下方に、「主な変更点　○Ｖゾーンの撤廃→パンクすることがない」、
　（ｂ−１−２）見出し「重要語句説明」の下方に、「Ｖゾーン・・・大当りを継続させるために入賞しなければならない箇所。ゼロヨン基準になって、デジパチではＶゾーンがなくなり、パンクすることがなくなった。」、
　（ｂ−１−３）見出し「各部の名前と略し方」の下方に、「・・・アタッカー（大入賞口）　大当りによって、一定の玉数、または時間まで開放。それを規定ラウンド数まで繰り返す。」。
　（ｂ−２）ｐ６１　には、次の事項が記載されている。
　（ｂ−２−１）見出し「Ｑ２『大ヤマト２』にＶゾーンがなかったのですが・・・」の下方に、「アタッカーからＶゾーンがなくなった」。
　　
　そうすると、必ず複数ラウンド開放する大入賞口は、上記特開平１１−２８５５６３号公報に記載された「Ｖゾーンの通過の有無等の特別の条件無しで、規定回数まで開放される、大入賞口１３４」、及び上記「パチンコ必勝ガイド」に記載された「大当りによって、一定の玉数、または時間までの開放を規定ラウンド数まで繰り返し、パンクすることがなくなった、アタッカー（大入賞口）」のように、周知・慣用の技術であると認められるから、当該「周知・慣用の技術」を引用発明（１の２）の「第１大入賞口及び第２大入賞口（第２可変入賞部品１２及び第１可変入賞部品１１）」に適用し、当該相違点２に係る本願発明を特定する事項とすることは、当業者が容易になし得ることである。
　
　相違点３について　
　遊技領域に複数個配置される部材の内部構造を同一のものとすることは、当該部材の製造時の容易性や経済性、遊技盤への取付け組み立て作業時の簡易性などを考慮して、当業者が適宜なし得る設計上の事項であるから、当該相違点３に係る本願発明を特定する事項とすることは、当業者が容易になし得ることである。
　相違点４について　　
　遊技領域に複数個配置される部材において、当該部材に内蔵される部品を各々同一の機器で構成することは、部品の共通化に伴う組み立て製造時の容易性や経済性などを考慮して、当業者が適宜なし得る設計上の事項であるから、当該相違点４に係る本願補正発明を特定する事項とすることは、当業者が容易になし得ることである。
　相違点５について　
　単一の検出器で計数するよりも同等に検出する複数の検出器で計数するほうが素早くカウント可能であることは一般常識であり、またパチンコ遊技機の大入賞口において、特別入賞口から続く球通路と一般入賞口から続く球通路とのように遊技態様上、同等では無いものの、入賞球を検出する入賞口検出器を設けた入賞球通路を、左右に並設させている技術は周知・慣用の技術と認められることを併せて考慮すれば、当該相違点５に係る本願発明を特定する事項とすることは、当業者が容易になし得ることである。　　
　
　そして、引用発明（１の２）は、引用発明（１の１）と同様に「抽選結果に基づき複数の球取入口に対応して設けられた開閉体の開閉を使い分ける」ものであり、また「制御装置８の制御処理を一層簡素にすることができる」ものであるから、本願発明による効果に格別のものは認められない。　
　　　　　
第五．むすび　
　以上のとおり、本願発明は、当審の拒絶理由通知に引用された引用発明１及び引用刊行物２に記載された事項並びに周知・慣用の技術に基づいて当業者が容易に発明をすることができたものであるから、本願は、特許法第２９条第２項の規定により、特許を受けることができない。
　
　よって、結論のとおり審決する。